(57)【要約】【課題】本考案は、遺骨の一部を身につけて故人と常に一緒に日常生活を過ごし、故人を身近に感じることが可能であって、末永く保管ができる遺骨収納用球体の提供を目的とするものである。【解決手段】本考案に係る遺骨収納用球体Ａは、紐通し用筒２が内部を貫通する中空の球体の形状をなし、前記球体の中空内部を遺骨収納室１とし、前記球体は、紐通し用筒２と一体の容体部３と、紐通し孔４ｂを有する蓋部４とから構成され、容体部３と蓋部４とは互いに嵌合可能に構成され、容体部３と蓋部４とを嵌合させたときに、併せて前記紐通し用筒２と蓋部４の紐通し孔４ｂとが連通することにより、遺骨収納室１が密封状態となるものである。【選択図】 図６
0003186760.tif 000002
【実用新案登録請求の範囲】
【請求項１】
紐通し用筒が内部を貫通する中空の球体の形状をなし、
前記球体の中空内部を遺骨収納室とし、
前記球体は、紐通し用筒と一体の容体部と、紐通し孔を有する蓋部とから構成され、
前記容体部は容体部開口部を有し、前記蓋部は蓋部開口部を有し、容体部開口部と蓋部開口部とは互いに密に嵌合可能に構成されて容体部と蓋部とが互いに嵌合可能に構成され、
前記容体部と前記蓋部とを嵌合させたときに、併せて前記紐通し用筒と蓋部の紐通し孔とが連通することにより、遺骨収納室が密封状態となる
ことを特徴とする遺骨収納用球体。
【請求項２】
前記容体部の開口部周縁内側に嵌合用凸部を形成し、
前記蓋部の開口部周縁内側に嵌合用凹部を形成してなる
ことを特徴とする請求項１に記載の遺骨収納用球体。
【請求項３】
前記容体部の開口部周縁内側に嵌合用凹部を形成し、
前記蓋部の開口部周縁内側に嵌合用凸部を形成してなる
ことを特徴とする請求項１に記載の遺骨収納用球体。
【請求項４】
前記容体部と前記蓋部とを嵌合させたときに、前記紐通し用筒の先端が蓋部の紐通し孔に密に接触する
ことを特徴とする請求項１〜３のいずれか１項に記載の遺骨収納用球体。
【請求項５】
前記容体部と前記蓋部とを嵌合させたときに、前記紐通し用筒の先端が蓋部の紐通し孔に密に嵌合する
ことを特徴とする請求項１〜３のいずれか１項に記載の遺骨収納用球体。
【請求項６】
容体部が球体の大半を形成し、蓋部はその残りを形成することを特徴とする請求項１〜５のいずれか１項に記載の遺骨収納用球体。
【考案の詳細な説明】
【技術分野】
【０００１】
本考案は、遺骨収納用球体であって、故人の遺骨や愛玩動物を火葬した後の遺骨を収納するための球体に関する。
【背景技術】
【０００２】
従来、故人の遺骨は陶製の骨壺に納めた後、お寺の納骨堂に安置したり、お墓の下の納骨室に安置したりして供養を行っている。そして、定期的に親族等が集まって、あるいは個人的に悩み事があるときやうれしい報告をしたいとき等にお墓参りをし、故人を身近に感じながら故人を偲んで生活を送っているのが一般的である。
【０００３】
また、近年においては、愛玩動物が死んだ場合も、葬式を行ったりお墓をたてるなど、人が亡くなった場合と同じような対応を行うことが多くなっている。
【０００４】
しかしながら、お墓の世話をすることが煩わしく感じたり、あるいはお墓が高価である等の理由により、お墓をたてない家庭も増えてきているのが実情である。また、たとえ、お墓があったとしても、核家族化が進み、離ればなれに生活がなされることに起因してお寺や墓地が遠隔地になってしまうことがあり、その結果、お墓参りをすることが少なくなってしまう場合も多く、したがって、容易に故人を偲ぶことができなくなるという問題点があった。
【０００５】
ましてや愛玩動物の場合には、お墓をたてるには経費がかかりすぎるという問題点があった。
【０００６】
以上のことから故人に対する畏敬の念が一般に薄れ、そのようなことが道徳心を欠如した行動をとる人が増加傾向にある原因の１つではないかとも論じられることがある。
【０００７】
一方では、家族、友人、恋人等の自分にとって大切な人や愛玩動物等を亡くしたときには、その亡くなった人等を身近に感じていたいとの願いや故人を偲ぶものを形で残したいとの願いを叶えたいとの声がある。
【０００８】
上記のような願いを叶えるために、特許文献１に示されるように、遺骨を金製や金メッキ製のケース内に収納し、身近で供養できるようにした墓標が提案されている。
【０００９】
また、特許文献２に示されるように、骨片や骨粉をコンクリート、石膏又は合成樹脂粉に混合して、金型で成形加工し、その表面を塗装した仏像人形や位牌が提案されている。
【先行技術文献】
【特許文献】
【００１０】
【特許文献１】実開平２−１３４８５５号公報
【特許文献２】特開平９−３００８９６号公報
【考案の概要】
【考案が解決しようとする課題】
【００１１】
しかしながら、上記いずれの特許文献においても、遺骨を身につけて故人と常に一緒に過ごすという願いを解決するものではなく、また、遺骨の一部をペンダントなどに収容して身につけることも提案されているが、その収容方法が不完全であり、収容されている遺骨が経年変化して劣化したり、粉末状になって散逸したりして末永く保管できない等の欠点があった。
【００１２】
そこで、本考案者は、鋭意研究を重ね、上記の願いを叶えるために、遺骨の一部を身につけて故人と常に一緒に日常生活を過ごし、故人を身近に感じることが可能であって、末永く保管ができる遺骨収納用球体を開発した。
【課題を解決するための手段】
【００１３】
本考案の請求項１に係る遺骨収納用球体は、紐通し用筒が内部を貫通する中空の球体の形状をなし、前記球体の中空内部を遺骨収納室とし、前記球体は、紐通し用筒と一体の容体部と、紐通し孔を有する蓋部とから構成され、前記容体部は容体部開口部を有し、前記蓋部は蓋部開口部を有し、容体部開口部と蓋部開口部とは互いに密に嵌合可能に構成されて容体部と蓋部とが互いに嵌合可能に構成され、前記容体部と前記蓋部とを嵌合させたときに、併せて前記紐通し用筒と蓋部の紐通し孔とが連通することにより、遺骨収納室が密封状態となることを特徴とするものである。
【００１４】
上記のように構成することにより、容体部に遺骨を収納して蓋部を容体部に嵌合することにより、密封状態の球体中に遺骨を保管することができる。
【００１５】
また、本考案の請求項２に係る遺骨収納用球体は、上記の請求項１に記載の構成に加えて、前記容体部の開口部周縁内側に嵌合用凸部を形成し、前記蓋部の開口部周縁内側に嵌合用凹部を形成して、容体部と蓋部とを互いに嵌合可能にする構成としてもよい。
【００１６】
さらに、本考案の請求項３に係る遺骨収納用球体は、上記の請求項１に記載の構成に加えて、前記容体部の開口部周縁内側に嵌合用凹部を形成し、前記蓋部の開口部周縁内側に嵌合用凸部を形成して、容体部と蓋部とを互いに嵌合可能にする構成としてもよい。
【００１７】
また、本考案の請求項４に係る遺骨収納用球体は、上記の請求項１〜３のいずれか１項に記載の構成に加えて、前記容体部と前記蓋部とを嵌合させたときに、前記紐通し用筒の先端が蓋部の紐通し孔に密に接触する構成としてもよい。
【００１８】
さらに、本考案の請求項５に係る遺骨収納用球体は、上記の請求項１〜３のいずれか１項に記載の構成に加えて、前記容体部と前記蓋部とを嵌合させたときに、前記紐通し用筒の先端が蓋部の紐通し孔に密に嵌合する構成としてもよい。
【００１９】
また、本考案の請求項６に係る遺骨収納用球体は、上記の請求項１〜５のいずれか１項に記載の構成に加えて、容体部が球体の大半を形成し、蓋部はその残りを形成するように構成してもよい。
【考案の効果】
【００２０】
以上のように本考案に係る遺骨収納用球体は、遺骨の一部を収納した密封状態の球体に対して、その紐通し用筒に紐を通してペンダントにしたり、また、他の球体と組み合わせて数珠様のブレスレットを作成して腕に装着することにより、遺骨の一部を身につけて故人を身近に感じながら日常生活を過ごすことが可能となる。また、本考案に係る遺骨収納用球体は、遺骨の一部を密封状態で保管できるので、遺骨の一部が変質することなく、末永く保管ができる利点がある。さらに、容体部が球体の大半を形成し、蓋部はその残りを形成するように構成した場合には、容体部と蓋部とを嵌合する際に、容体部の紐通し用筒を蓋部に対して安定して連通させることができる利点がある。
【図面の簡単な説明】
【００２１】
【図１】本考案の遺骨収納用球体の正面図である。
【図２】本考案の遺骨収納用球体の底面図である。
【図３】本考案の遺骨収納用球体の中央横断面図ある。
【図４】本考案の遺骨収納用球体について、容体部と蓋部とに分解した状態を示す正面図である。
【図５】本考案の遺骨収納用球体について、容体部と蓋部とに分解した状態の拡大中央縦断面図ある。
【図６】本考案の遺骨収納用球体の拡大中央縦断面図ある。
【図７】本考案の遺骨収納用球体を使用して作成した数珠様のブレスレットの概略図である。
【考案を実施するための形態】
【００２２】
以下に本考案の好適な実施例を添付の図面に基づいて詳細に説明する。
【実施例１】
【００２３】
図１〜図７において、Ａは本実施例に係る遺骨収納用球体であり、当該遺骨収納用球体Ａは、図３、図５及び図６に示すように、中空の球体の形状をなしており、その中空内部が遺骨収納室１となる。また、遺骨収納用球体Ａは、その内部を貫通する紐通し用筒２が設けられている。
【００２４】
遺骨収納用球体Ａを構成する球体は、図４〜図６に示すように、互いに嵌合可能な容体部３と蓋部４とから構成されている。そして、容体部３と蓋部４との嵌合は、容体部３の開口部周縁内側に形成された嵌合用凸部３ａと、蓋部４の開口部周縁部内側に形成された嵌合用凹部４ａとを嵌合することによりなされ、容体部３と蓋部４とが嵌合したときには、その嵌合箇所である容体部開口部と蓋部開口部とが密に嵌合され、その結果、密封状態で閉塞されるように設計されている。
【００２５】
なお、本実施例においては、容体部３の開口部周縁内側に嵌合用凸部３ａを形成し、蓋部４の開口部周縁部内側に嵌合用凹部４ａを形成しているが、容体部の開口部周縁内側に嵌合用凹部を形成し、蓋部の開口部周縁部内側に嵌合用凸部を形成して容体部と蓋部とが嵌合するように設計変更してもよい。
【００２６】
前記容体部３は、その底部に形成された穴に前記紐通し用筒２が結合され、容体部３の底部から紐通し用筒２が直立するように一体となっており、容体部３の底部には紐通し用筒２の開口２ａが表れるように構成されている。
【００２７】
一方、前記蓋部４は、紐通し孔４ｂが設けられており、蓋部４と容体部３とを嵌合したときに、前記紐通し用筒２の先端開口端２ｂと紐通し孔４ｂとが連通するように構成されている。
【００２８】
すなわち、図６に示すように、前記容体部３と前記蓋部４とを嵌合させたときに、容体部３における紐通し用筒２の先端開口端２ｂが蓋部４の紐通し孔４ｂに密に接触するように構成されている。このように構成することにより、前記容体部３と前記蓋部４とを嵌合させたときに、併せて前記紐通し用筒２と蓋部４の紐通し孔４ｂとが連通することにより、遺骨収納室１が密封状態となる。その一方で、前記紐通し用筒２は遺骨収納用球体Ａを構成する中空の球体を貫通することとなり、紐通し用筒２を利用して遺骨収納用球体Ａに紐を通すことが可能となる。
【００２９】
なお、本実施例においては、前記容体部３と前記蓋部４とを嵌合させたときに、前記紐通し用筒２の先端開口端２ｂが蓋部４の紐通し孔４ｂに密に接触するように構成しているが、容体部と蓋部とを嵌合させたときに、紐通し用筒の先端が蓋部の紐通し孔に密に嵌合するように設計変更してもよい。
【００３０】
また、本実施例における容体部３は、図５に示すように、遺骨収納用球体Ａを構成する球体の大半を形成し、蓋部４はその残りを形成するように構成されている。したがって、容体部３の開口部からは紐通し用筒２の一部が突出するだけであり、蓋部４の紐通し孔４ｂに対して紐通し用筒２を安定して、かつ、狂いが生じることなく連通させることができる。
【００３１】
以上のように、本実施例における遺骨収納用球体Ａを構成したので、容体部３の遺骨収納室１に遺骨を収納して蓋部４を容体部３に嵌合することにより、密封状態の球体中に遺骨を保管することができる。したがって、遺骨収納用球体Ａの遺骨収納室１に収納された遺骨は、変質することなく、末永く保管ができる。また、遺骨収納用球体Ａの紐通し用筒２に紐を通してペンダントにしたり、また、図７に示すように、他の球体Ｂと組み合わせて数珠様のプレスレットＣを作成して腕に装着することにより、遺骨の一部を身につけて故人を身近に感じながら日常生活を過ごすことが可能となる。なお、異なる故人の遺骨の一部をそれぞれ別個の遺骨収納用球体Ａに収納し、他の球体と組み合わせて数珠様のプレスレットを作成すれば、１つのブレスレットで複数の故人の遺骨を身につけることができる。
【００３２】
以上のとおり、本考案の実施例を説明したが、この実施例は、例として提示したものであり、考案の範囲を限定することは意図していない。この実施例は、その他の様々な形態で実施されることが可能であり、考案の要旨を逸脱しない範囲で、種々の省略、置き換え、変更を行うことができる。この実施例やその変形は、考案の範囲や要旨に含まれると同様に、実用新案登録請求の範囲に記載された考案とその均等の範囲に含まれるものである。
【符号の説明】
【００３３】
Ａ・・・遺骨収納用球体          １・・・遺骨収納室
２・・・紐通し用筒              ２ａ・・紐通し用筒の開口
２ｂ・・紐通し用筒の先端開口端  ３・・・容体部
３ａ・・嵌合用凸部              ４・・・蓋部
４ａ・・嵌合用凹部              ４ｂ・・蓋部の紐通し孔
Ｂ・・・他の球体                Ｃ・・・数珠様のプレスレット
【図１】
0003186760.tif 000003
【図２】
0003186760.tif 000004
【図３】
0003186760.tif 000005
【図４】
0003186760.tif 000006
【図５】
0003186760.tif 000007
【図６】
0003186760.tif 000008
【図７】
0003186760.tif 000009